(57)【要約】【課題】  振動が加わっても弛みが発生せず、かつ、生産性に優れた弛み止めナットを提供する。【解決手段】  ナット基材１１にネジ孔１２が穿設され、ボルト１に螺合されるナットにおいて、ネジ孔１２を、その中心線Ｌを、ナット基材１１の中心線Ｃに対して、所定角度α傾斜させて形成する。また、ナット基材１１に、当該ナット基材１１の中心線Ｃに直交する方向に横溝１３を形成する。さらに、前記所定角度αを１°〜６°とし、横溝１３を、ネジ孔１２を横断する範囲にまで形成する。【選択図】      図１
2007315451.tif 000002
【特許請求の範囲】
【請求項１】
ナット基材（１１）にネジ孔（１２）が穿設され，ボルト（１）に螺合されるナットにおいて、前記ネジ孔を，その中心線（Ｌ）を，前記ナット基材の中心線（Ｃ）に対して，所定角度（α）傾斜させて形成してなる弛み止めナット。
【請求項２】
ナット基材（１１）にネジ孔（１２）が穿設され，ボルト（１）に螺合されるナットにおいて、前記ネジ孔を，その中心線（Ｌ）を，前記ナット基材の中心線（Ｃ）に対して，所定角度（α）傾斜させて形成し、前記ナット基材に，該ナット基材の中心線に直交する方向に横溝（１３）を形成してなる弛み止めナット。
【請求項３】
所定角度（α）を１°〜６°とし、横溝（１３）を，ネジ孔（１２）を横断する範囲にまで形成してなる請求項１または２に記載の弛み止めナット。
【発明の詳細な説明】
【技術分野】
【０００１】
本発明は、振動が加わっても弛みが発生し難い弛み止めナットに関するものである。
【背景技術】
【０００２】
従来、自動車、機械、電気機器等のあらゆる構造物には、ボルトと共に、それに螺合するナットが大量に使用されている。このナットは、強く締め付けることによって強固に組付くので、締結具として優れた作用効果を発揮する。しかし、例えば、振動が加わる箇所に使用すると、その振動によって弛んでしまうといった欠点がある。
【０００３】
こうした欠点を解消するために、二つのナットを重ねて、いわゆるダブルナットとして使用する方法がある。ダブルナットとすると、振動の加わる箇所に使用しても、それまでの一つのナットを使用した場合（シングルナット）と比較して弛み難いといった効果がある。
【０００４】
しかし、ダブルナットとして使用することは、二つのナットを使用することであるため、シングルナットの場合と比較してコストが嵩み、その取付けも二重の手間を要する。
【０００５】
本発明者らはこうした問題に鑑み、弛みの発生しない弛み止めナットを創案して特許出願している（特開２００４−１５６６３７）。この弛み止めナットは、その一部に水平方向に横溝を形成し、また、その座面を傾斜させて傾斜座面としている。この弛み止めナットは、ボルトに強固に螺合組付きし、振動を加えても弛まないといった優れた効果を発揮する。
【発明の開示】
【発明が解決しようとする課題】
【０００６】
しかし、先に公開の弛み止めナットは、振動によって弛まないといった優れた効果を発揮するものの、傾斜座面を形成する作業を必要とし、また、当該傾斜座面を正確に形成する加工において手間を要するため、生産性の点においてさらなる改善の余地が残されている。
【０００７】
本発明はこうした問題に鑑み創案されたもので、振動が加わっても弛みが発生せず、かつ、生産性に優れた弛み止めナットを提供することを課題とする。
【課題を解決するための手段】
【０００８】
図１乃至図３を参照して説明する。請求項１に記載の弛み止めナット１０は、ナット基材１１にネジ孔１２が穿設され、ボルト１に螺合されるナットにおいて、前記ネジ孔１２を、その中心線Ｌを、前記ナット基材１１の中心線Ｃに対して、所定角度α傾斜させて形成したものである。
【０００９】
請求項２に記載の弛み止めナット１０は、ナット基材１１にネジ孔１２が穿設され、ボルト１に螺合されるナットにおいて、前記ネジ孔１２を、その中心線Ｌを、前記ナット基材１１の中心線Ｃに対して、所定角度α傾斜させて形成し、前記ナット基材１１に、当該ナット基材１１の中心線Ｃに直交する方向に横溝１３を形成したものである。
【００１０】
請求項３に記載の弛み止めナット１０は、請求項１または２に記載の発明において、  所定角度αを１°〜６°とし、横溝１３を、ネジ孔１２を横断する範囲にまで形成したものである。
【発明の効果】
【００１１】
請求項１に記載の弛み止めナット１０は、ナット基材１１にネジ孔１２を穿設したナットにおいて、当該ネジ孔１２を、その中心線Ｌを、ナット基材１１の中心線Ｃに対して、所定角度α傾斜させて形成したので、例えば、振動が加わってもボルト１から弛むことがないと共に、成形が容易であるため生産性に優れる。
【００１２】
すなわち、ネジ孔１２は、その中心線Ｌがナット基材１１の中心線Ｃに対して傾いた状態で形成されているので、当該ネジ孔１２にボルト１を螺合すると、この弛み止めナット１０は、歪んだ状態で、その座面の一部が局部的に被締結物２，３に強固に接触することになる。これにより、当該接触部分に大きな摩擦抵抗が発生し、弛みの発生が防止される。
【００１３】
また、ネジ孔１２は、従来技術のようにナット基材１１に傾斜座面を形成する必要がなく、通常のナット基材を、例えば、水平状態で保持し、その状態で、当該ネジ孔１２を形成する刃物を、その中心軸をナット基材１１の中心線Ｃから所定角度α傾斜させて加工すれば良いので、成形がきわめて容易である。従って生産性に優れる。
【００１４】
請求項２に記載の弛み止めナット１０は、請求項１に記載の発明と同様に、振動が加わっても弛むことがないと共に、成形が容易で生産性に優れる。
【００１５】
また、ナット基材１１に、そのナット基材１１の中心線Ｃに直交する方向に横溝１３を形成しているので、弛みの発生をより効果的に防止することができる。これは、横溝１３を形成したことによって、横溝１３近傍のネジが、ボルト１に局部的に強く組付くからであると考えられる。また、ボルト１や被締結物２，３等から伝わる振動が当該横溝１３によって吸収され、当該振動が弛み止めナット１０の全体にそのまま直接伝達されるのが阻止されるからであるとも考えられる。
【００１６】
請求項３に記載の弛み止めナット１０は、請求項１および２に記載の発明と同様の効果を発揮する。また、ナット基材１１の中心線Ｃに対するネジ孔１２の中心線Ｌの所定角度αを１°〜６°としているので、さらに効果的に弛みを防止することができる。当該所定角度αが１°未満であると傾斜が小さすぎるので、ナット基材１１の被締結物２，３に対する局部的な接触が弱くなり、また、７°以上であると傾斜が大きすぎるのでボルト１への螺合組付けが困難となり、ナットとしての機能を損なう。
【００１７】
さらに、横溝１３を、ネジ孔１２を横断する範囲にまで形成しているので、横溝１３近傍のネジを、ボルト１に局部的により強く組付けることができ、これにより、弛み止め効果をさらに高めることができる。  
【発明を実施するための最良の形態】
【００１８】
本発明に係る弛み止めナット１０の実施形態を、図１乃至図３に示す。これは、平面六角形状のナット基材１１にネジ孔１２が穿設されボルト１に螺合されるナットにおいて、ネジ孔１２を、その中心線Ｌを、ナット基材１１の中心線Ｃに対して、所定角度α（１°〜６°）傾斜させて形成したものである。また、ナット基材１１に、横溝１３を、当該ナット基材１１の中心線Ｃに直交する方向に形成している。本実施形態では、ネジ孔１２を横断する範囲にわたって形成している。
【００１９】
本実施形態に係る弛み止めナット１０は、振動が加わってもボルト１から弛むことがないと共に、成形が容易であるため生産性に優れる。すなわち、ネジ孔１２を、その中心線Ｌがナット基材１１の中心線Ｃに対して傾いた状態で形成しているので、当該ネジ孔１２にボルト１を螺合すると、この弛み止めナット１０は、その一部が局部的に被締結物２，３に強固に接触する。従って、大きな摩擦抵抗が発生し、弛みが防止される。
【００２０】
また、ネジ孔１２は、ナット基材１１を、例えば水平に保持し、その状態で当該ネジ孔１２を形成する刃物を、ナット基材１１の中心線Ｃから所定角度α（１°〜６°）傾斜させて加工することによって形成できるので、成形がきわめて容易である。従って生産性に優れる。
【００２１】
また、この弛み止めナット１０は、ナット基材１１に横溝１３を形成しているので、弛みの発生をより効果的に防止することができる。これは、横溝１３を形成したことによって、その近傍のネジが、ボルト１に食い込んで局部的に強く組付くからであると考えられる。また、ボルト１や被締結物２，３等から伝わる振動が当該横溝１３によって吸収され、当該振動が弛み止めナット１０の全体に直接伝達されるのが阻止されるからであるとも考えられる。
【００２２】
なお、本実施形態では、横溝１３を、ネジ孔１２を横断する範囲にまで形成してボルト１に対する組付きを強固にしているが、本発明はこれに限定されるものではなく、例えば、ネジ孔１２の中心部分程度まで形成することもできる。
【００２３】
また、本実施形態においては、横溝１３を、ナット基材１１の中間高さより上位に形成しているが、その形成位置は限定されず、ナット基材１１の中間位置あるいはそれより下位に形成することもできる。ただし、その場合は、被締結物２，３に対する組付き力が大きくなりすぎて、取り外しが困難となる傾向があるため、本実施形態のように、ナット基材１１の中間高さより上位に形成することが好ましい。
【図面の簡単な説明】
【００２４】
【図１】本発明に係る弛み止めナットの締結状態を示す正面図である。
【図２】図１に示す弛み止めナットの平面図である。
【図３】図２のＡ−Ａ線断面図である。
【符号の説明】
【００２５】
１        ボルト
２        被締結物
３        被締結物
１０      弛み止めナット
１１      ナット基材
１２      ネジ孔
１３      横溝
Ｃ        ナット基材の中心線
Ｌ        ネジ孔の中心線
α        所定角度
【図１】
2007315451.tif 000003
【図２】
2007315451.tif 000004
【図３】
2007315451.tif 000005